(57)【特許請求の範囲】
【請求項１】
内面にスイッチ電極を形成した極盤と、この極盤と 弾性嵌合するケースと、このケースと上記極盤とで形成される空間部内に移動 自在に配設した可動盤と、この可動盤の一方の面から外側へ突設した可動盤ボ ス及び他方の面に設けた可動接片と、上記可動盤の一方の面と上記ケースの内 面との間に介在した防塵シートとを備えた防塵スイッチ装置において、
上記防塵シートは略扇形状に形成し、この防塵シートの下側に設けた軸穴部 を、上記ケースの内面に突設した軸部に嵌合して上記防塵シートを回動自在に 軸支すると共に、上記防塵シートの上側に設けた略Ｖ字形状の切欠部内に、上 記可動盤ボスを遊嵌し、
上記可動盤は、上記可動盤の上記一方及び他方の側縁段部の近隣に、上記防塵シートに摺接する摺接凸部を形成したことを特徴とする防塵スイッチ装置。
【請求項２】
内面にスイッチ電極を形成した極盤と、この極盤と 弾性嵌合するケースと、このケースと上記極盤とで形成される空間部内に移動 自在に配設した可動盤と、この可動盤の一方の面から外側へ突設した可動盤ボ ス及び他方の面に設けた可動接片と、上記可動盤の一方の面と上記ケースの内 面との間に介在した防塵シートとを備えた防塵スイッチ装置において、
上記防塵シートは略扇形状に形成し、この防塵シートの下側に設けた軸穴部 を、上記ケースの内面に突設した軸部に嵌合して上記防塵シートを回動自在に 軸支すると共に、上記防塵シートの上側に設けた略Ｖ字形状の切欠部内に、上 記可動盤ボスを遊嵌し、
上記極盤の一方の側面に、取付け基板の凹部と嵌合して位置決めをするための係止凸部を突設し、他方の側面に、リード端子を電気的に接続するプリント基板との間の間隔を所定値に設定するための複数個の突起部と、上記リード端子を上記プリント基板に固定するための爪付き係止片とを突設して成る構成としたことを特徴とする防塵スイッチ装置。
【発明の詳細な説明】
【０００１】
【発明の属する技術分野】
この発明は、粉塵等を被りやすい環境下で使用されるスイッチ装置、例えば自動車などの車両のアームレスト部分等に配置するパワーウインドウ制御用スイッチ装置に好適な防塵スイッチ装置に関するものである。
【０００２】
【従来の技術】
従来、自動車などに搭載される小型のスイッチ装置としては、多くの種類のスイッチ装置が使用されている。特に、粉塵等を被りやすい部分に配置するスイッチ装置では、スイッチ装置のケース内への粉塵の侵入を防止するために、ケース内に防塵シートを内蔵させたスイッチ装置が提案されている。
【０００３】
図９は、従来の防塵スイッチ装置の構成を概略的に示す断面図、図１０及び図１１は、図９の防塵スイッチ装置の作動態様を概略的に示す平面図である。図９ないし図１１において、１は極盤であり、この極盤１はエポキシ樹脂やセラミック等の材質から成り、内面に複数個のスイッチ電極１ａが形成されている。２は極盤１と同材質から成るケースであり、このケース２を極盤１に弾性嵌合することにより内部に空間部３が形成される。また、ケース２の上側にケース開口部２ａが設けられている。
【０００４】
４は極盤１と同材質から成る可動盤であり、この可動盤４は空間部３内で左右方向（図９に示す矢印方向）へ移動自在に配設されている。可動盤４の一方の面にはケース開口部２ａを通して外側へ突出する可動盤ボス４ａが突設されており、可動盤４の他方の面にはスイッチ電極１ａと摺接する弾性材質の可動接片４ｂ（通常は複数個）が設けられている。５は、例えば黒色の合成樹脂等の材質から成る薄板材の防塵シートであり、この防塵シート５の略中央部に防塵シート開口部５ａが形成される。また、防塵シート５は可動盤４の一方の面とケース２の内面との間に圧接状態に挟持され、可動盤４の左右方向への移動に伴って同じく左右方向へ摺動するように構成されている。６はリード端子であり、このリード端子６によりスイッチ電極１ａとプリント基板（図示しない）とが電気的に接続されている。
【０００５】
上記のような構成を有する従来の防塵スイッチ装置において、例えば自動車などの車両の乗員が窓ガラスを開閉するために、パワーウインドウスイッチの操作ノブ（図示しない）を操作すると、その操作力が可動盤ボス４ａに伝達される。これにより、図９に示す中立位置に位置する可動盤ボス４ａは、可動盤４と共に図１０に示す右方向へ移動するか、又は図１１に示す左方向へ移動する。可動盤ボス４ａの左右方向への移動は、ケース開口部２ａの左右の各縁部との当接により阻止される。
【０００６】
可動盤ボス４ａと共に可動盤４が左右方向へ移動する時に、可動盤４の一方の面とケース２の内面との間に圧接状態で挟持されている防塵シート５は、図１０又は図１１に示すように同じく左右方向へ移動するために、ケース開口部２ａは、常時可動盤４と防塵シート５とによって塞がれている状態にある。その結果、防塵スイッチ装置のケース２内への防塵の侵入を防止することができる。
【０００７】
【発明が解決しようとする課題】
上記したように従来の防塵スイッチ装置においては、可動盤ボス４ａと共に可動盤４の左右方向への移動に伴って防塵シート５も同じく左右方向へ同時に移動し、ケース開口部２ａを可動盤４と防塵シート５とによって塞ぐようにしている。ところが、可動盤４の一方の面とケース２の内面との間に圧接状態で挟持されている防塵シート５は、この防塵シート５に対する圧接度合の変動によって移動する移動量に差が生じる場合があり、そのために、ケース開口部２ａを十分に閉塞させることができなくなる不都合が起こり、防塵効率を低下させるという問題点があった。
【０００８】
また、図１０又は図１１に示すように、ケース開口部２ａの長さをＬとすると、可動盤ボス４ａと共に可動盤４（破線で示す）がケース開口部２ａの長さＬの距離を移動する時、これに伴って防塵シート５（一点破線で示す）はケース２の外形寸法に略等しい長さ（約２Ｌ）の距離範囲内を移動することになる。すなわち、防塵シート５が移動する摺動領域は約２Ｌの距離だけ必要となる。そのために、ケース２の外形寸法は必然的に大型サイズとなり、ケース２の外形サイズの小型化が困難になるという問題点があった。
【０００９】
この発明は、上記のような問題点を解消するためになされたもので、可動盤ボスと共に可動盤の左右方向への移動に伴い、ケースの内面に突設した軸部に回動自在に軸支した略扇形状の防塵シートを同じく左右方向へ所定量回動させ得るようにして成る構成となし、これにより、ケース内への粉塵の侵入を防止する防塵効率を向上させることができると共に、ケースの外形サイズの小型化を容易に実現し得る防塵スイッチ装置を提供することを目的とする。
【００１０】
この発明の請求項１の防塵スイッチ装置としては、内面にスイッチ電極を形 成した極盤と、この極盤と弾性嵌合するケースと、このケースと上記極盤とで 形成される空間部内に移動自在に配設した可動盤と、この可動盤の一方の面か ら外側へ突設した可動盤ボス及び他方の面に設けた可動接片と、上記可動盤の 一方の面と上記ケースの内面との間に介在した防塵シートとを備えた防塵スイ ッチ装置において、上記防塵シートは略扇形状に形成し、この防塵シートの下 側に設けた軸穴部を、上記ケースの内面に突設した軸部に嵌合して上記防塵シ ートを回動自在に軸支すると共に、上記防塵シートの上側に設けた略Ｖ字形状 の切欠部内に、上記可動盤ボスを遊嵌し、上記可動盤は、上記可動盤の上記一 方及び他方の側縁段部の近隣に、上記防塵シートに摺接する摺接凸部を形成し たことを特徴とする。
【００１１】
この発明の請求項２としては、内面にスイッチ電極を形成した極盤と、この 極盤と弾性嵌合するケースと、このケースと上記極盤とで形成される空間部内 に移動自在に配設した可動盤と、この可動盤の一方の面から外側へ突設した可 動盤ボス及び他方の面に設けた可動接片と、上記可動盤の一方の面と上記ケー スの内面との間に介在した防塵シートとを備えた防塵スイッチ装置において、
上記防塵シートは略扇形状に形成し、この防塵シートの下側に設けた軸穴部 を、上記ケースの内面に突設した軸部に嵌合して上記防塵シートを回動自在に 軸支すると共に、上記防塵シートの上側に設けた略Ｖ字形状の切欠部内に、上 記可動盤ボスを遊嵌し、上記極盤の一方の側面に、取付け基板の凹部と嵌合し て位置決めをするための係止凸部を突設し、他方の側面に、リード端子を電気 的に接続するプリント基板との間の間隔を所定値に設定するための複数個の突 起部と、上記リード端子を上記プリント基板に固定するための爪付き係止片と を突設して成る構成としたことを特徴とする。
【００１８】
【発明の実施の形態】
この発明に係わる防塵スイッチ装置は、ケースの内面に突設した軸部に回動自在に軸支した略扇形状の防塵シートの上側に設けた略Ｖ字形状の切欠部内に、可動盤の一方の面から突設した可動盤ボスを遊嵌し、この可動盤ボスと共に上記可動盤の左右方向への移動に伴い、上記可動盤ボスを介して上記防塵シートを同じく左右方向へ所定量回動させ得るようにして成る構成としたものである。
【００１９】
上記した構成を有するこの発明の防塵スイッチ装置では、可動盤ボスの左右方向への移動の中立位置は、防塵シートの左右方向への回動中立位置と一致する構成とされており、また、上記可動盤ボスの左右方向への移動量の値に比べて上記防塵シートの左右方向への回動量の値を小さくすることができる上に、上記防塵シートの回動量に対して変動が生じる度合を著しく低減させることが可能になる。その結果、防塵スイッチ装置のケース内への粉塵の侵入を防止する防塵効率を向上させることができると共に、ケース内の外形サイズの小型化を容易に実現し得るので、例えば自動車に搭載するパワーウインドウ制御用スイッチ装置に採用し、実施する場合に最適なものである。
【００２０】
【実施例】
以下、この発明の実施例について説明する。図１は、この発明の実施例である防塵スイッチ装置を取付け基板及びプリント基板に装着した構成を概略的に示す一部断面平面図、図２は、図１のＡ−Ａ線に沿って切断した構成を概略的に示す拡大断面図、図３は、図１の防塵スイッチ装置における展開した構成を概略的に示す斜視図、図４及び図５は、図１の防塵スイッチ装置に使用する防塵シートの形状を概略的に示す拡大平面図、図６及び図７は、図１の防塵スイッチ装置の作動態様を概略的に示す平面図、図８は、図１の防塵スイッチ装置でケースの内面に回動自在に軸支した防塵シートの作動態様を概略的に示す平面図である。
【００２１】
図１ないし図８において、図９ないし図１１と同一符号を付して表示したものは同一又は類似の構造を有するものである。図１ないし図８において、１は極盤であり、この極盤１はガラス入りナイロン等の樹脂材料から成り、内面に複数個のスイッチ電極１ａがインサート形成されている。この極盤１の一方の側面に、取付け基板７の凹部７ａと嵌合して位置決めをするための係止凸部１ｂが突設され、他方の側面に、スイッチ電極１ａから導出されたリード端子６を電気的に接続するプリント基板８との間の間隔を所定値に設定するための複数個の突起部１ｃと、リード端子６をプリント基板８に固定するための爪付き係止片１ｄがそれぞれ突設されている。また、極盤１の側面に複数個の突起１ｅが形成されている。
【００２２】
２はポリアセタール等の樹脂材料から成るケースであり、このケース２の内面には、後記する防塵シート５を回動自在に軸支する軸部２ｂと、可動盤４の側縁段部４ｃと摺接する抑止突起部２ｃと、防塵シート５の左右方向への回動量を所定値に規制し、かつ側縁段部４ｄと摺接するストッパー部２ｄとがそれぞれ設けられている。また、ケース２の側面には、極盤１の突起部１ｅと対応する位置に複数個の穴部２ｅが形成されている。ケース２を極盤１に弾性嵌合する時、極盤１の複数個の突起部１ｅはこれらと対応するケース２の複数個の穴部２ｅに嵌合して内部に空間部３が形成される。また、ケース２の上側にケース開口部２ａが設けられている。
【００２３】
４はＡＢＳ樹脂等の樹脂材料から成る可動盤であり、この可動盤４は空間部３内で左右方向へ移動自在に配設されている。可動盤４の一方の面には、ケース開口部２ａを通して外側へ突出する可動盤ボス４ａが設けられており、可動盤４の他方の面には、複数個のスイッチ電極１ａとそれぞれ摺接する弾性材質から成る複数個の可動接片４ｂが設けられている。上記可動盤ボス４ａの周囲には、後述する防塵シート５との摺接時の摩擦抵抗を削減する溝４ｅを形成している。該溝４ｅの周囲には、前記防塵シート５に接触する四角いリング状の摺接凸部４ｆを形成している。前記可動盤４の上下の側縁部には、前記ケース２の抑止突起部２ｃに摺接する側縁段部４ｄとを形成している。該側縁段部４ｄの隣には、前記防塵シート５に摺接する摺接凸部４ｇが隣設されている。また、可動盤４は、前記摺接凸部４ｆと摺接凸部４ｇとの間に、防塵シート５を軸支する軸部２ｂが遊嵌する横溝４ｈを形成している。
【００２４】
５は図４及び図５に示すように、例えば黒色の合成樹脂等の材質から成る略扇形状で薄板材の防塵シートであり、この防塵シート５の下側には、ケース２の内面に突設された軸部２ｂに回動自在に嵌合する軸穴部５ｂが設けられ、防塵シート５の上側には、可動盤ボス４ａを遊嵌する略Ｖ字形状の切欠部５ｃが設けられている。また、略Ｖ字形状の切欠部５ｃは、図５に示すように略Ｖ字形状の開口部５ｄに形成することができ、さらに、開口部５ｄの形状を略楕円形状に形成することも可能である。
【００２５】
上記のような構成を有するこの発明の防塵スイッチ装置において、図１及び図２に示すようにケース２のケース開口部２ａから外側へ突出する可動盤ボス４ａが中立位置の状態にあるとき、防塵シート５の略Ｖ字形状の切欠部５ｃの溝部内に可動盤ボス４ａが遊嵌されているために、可動盤ボス４ａの左右方向への移動の中立位置は、防塵シート５の左右方向への回動の中立位置と一致する構成となっている。今、例えば自動車などの車両の乗員が窓ガラスを開閉するために、パワーウインドウスイッチの操作ノブ（図示しない）を操作すると、その操作力が可動盤ボス４ａに伝達される。
【００２６】
可動盤ボス４ａが図６に示す中立位置から図７に示す右方向へ移動すると、同時に可動盤ボス４ａは防塵シート５の略Ｖ字状の切欠部５ｃの縁部に沿って移動するために、その移動に伴って防塵シート５も図７に示すように右方向へ所定量回動し、防塵シート５の右側縁部が図８に示すストッパー部２ｄに当接することにより回動が阻止される。可動盤ボス４ａと共に可動盤４も右方向へ移動するが、この移動中に可動盤４の側縁段部４ｃはケース２の内面に設けた抑止突起部２ｃと摺接するために、可動盤４の移動中における不要な移動の発生が抑止される。一方、可動盤ボス４ａの左方向への移動の場合も、上記右方向の移動と同様に動作する。
【００２７】
上記したこの発明による防塵スイッチ装置では、可動盤ボス４ａと共に可動盤４の左右方向への移動に伴って防塵シート５も同じく左右方向へ同時に所定量回動し、ケース開口部２ａを可動盤４と防塵シート５によって塞ぐようにしている。それゆえ、図９に示す従来の防塵スイッチ装置における防塵シート５の移動量の値と比べて、この発明による防塵シート５の回動量の値を小さくすることができる上、その回動量に対する変動を大幅に減少させることが可能となる。よって、この発明の防塵スイッチ装置は、上記従来例に比べて防塵効率をより一層向上させ得ると共に、外形サイズを容易にコンパクト化できるものである。
【００２８】
【発明の効果】
以上のように、この発明の防塵スイッチ装置によれば、請求項１ないし８に開示されているように、ケース内面に突接した軸部に回動自在に軸支した略扇形状の防塵シートの上側に設けた略Ｖ字形状の切欠部内に、可動盤の一方の面から突設した可動盤ボスを遊嵌し、この可動盤ボスと共に上記可動盤の左右方向への移動に伴い、上記可動盤ボスを介して上記防塵シートを同じく左右方向へ所定量回動させ得るようにして成る構成としたものである。
【００２９】
それゆえ、この種の従来の防塵スイッチ装置と比べて、この発明による防塵スイッチ装置では、ケース内への粉塵の侵入を防止する防塵効果をより一層向上させることができると共に、ケースの外形サイズの小型化を容易に実現し得るなどの優れた効果を奏するものである。
【００３０】
この発明の防塵スイッチ装置は、上記ケースの内面に、上記可動盤の一方の側縁段部と摺接する抑止突起部と、他方の側縁段部と摺接する前記ストッパー部と、を形成したことで、上記抑止突起部とストッパー部とで可動盤の上下部位を保持して該可動盤のガタ付きを解消すると共に、スイッチとしての信頼性を向上させることができる。
【００３１】
この発明の防塵スイッチ装置は、上記可動盤が、上記可動盤の上記一方及び他方の側縁段部の近隣に、上記防塵シートに摺接する摺接凸部を形成したことで、防塵シートと摺接凸部との摩擦抵抗を低減して防塵シートの回動をスムーズにすることができる。
【図面の簡単な説明】
【図１】この発明の実施例である防塵スイッチ装置を取付け基板及びプリント基板に装着した構成を概略的に示す一部断面平面図である。
【図２】図１のＡ−Ａ線に沿って切断した構成を概略的に示す拡大断面図である。
【図３】図１の防塵スイッチ装置における展開した構成を概略的に示す斜視図である。
【図４】図１の防塵スイッチ装置に使用する防塵シートの形状の一例を概略的に示す拡大平面図である。
【図５】図１の防塵スイッチ装置に使用する防塵シートの形状の他例の一例を概略的に示す拡大平面図である。
【図６】図１の防塵スイッチ装置の作動態様を概略的に示す平面図である。
【図７】図１の防塵スイッチ装置の作動態様を概略的に示す平面図である。
【図８】図１の防塵スイッチ装置でケースの内面に回動自在に軸支した防塵シートの作動態様を概略的に示す平面図である。
【図９】従来の防塵スイッチ装置の構成を概略的に示す断面図である。
【図１０】図９の防塵スイッチ装置の作動態様を概略的に示す平面図であり、可動盤が右側の位置の時の図面である。
【図１１】図９の防塵スイッチ装置の作動態様を概略的に示す平面図であり、可動盤が左側の位置の時の図面である。
【符号の説明】
１  極盤
１ａ  スイッチ電極
１ｂ  係止凸部
１ｃ  突起部
１ｄ  爪付き係止片
１ｅ  突起部
２  ケース
２ａ  ケース開口部
２ｂ  軸部
２ｃ  抑止突起部
２ｄ  ストッパー部
２ｅ  穴部
３  空間部
４  可動盤
４ａ  可動盤ボス
４ｂ  可動接片
４ｃ  側縁段部
５  防塵シート
５ａ  防塵シート開口部
５ｂ  軸穴部
５ｃ  切欠部
５ｄ  開口部
６  リード端子
７  取付け基板
７ａ  凹部
８  プリント基板
【図１】
0003593468.tif 000002
【図２】
0003593468.tif 000003
【図３】
0003593468.tif 000004
【図４】
0003593468.tif 000005
【図５】
0003593468.tif 000006
【図６】
0003593468.tif 000007
【図７】
0003593468.tif 000008
【図８】
0003593468.tif 000009
【図９】
0003593468.tif 000010
【図１０】
0003593468.tif 000011
【図１１】
0003593468.tif 000012